(57)【要約】【課題】  引き戸において、戸板の全板厚を薄くしながら、戸板の端面に支持具を取付けるとともに、戸板の端面において支持具に干渉することのない広目のスペースに気密装置を併せ設けること。【解決手段】  戸枠１０の上框１１に設けられる上ガイドレール１４に支持されるガイド用突起２３を戸板２１の上端面に取付けてなる引き戸２０において、戸板２１の上端面における該戸板２１の板厚中心２１Ｃから偏心する位置にガイド用突起２３を取付け、戸板２１の上端面におけるガイド用突起２３の取付位置より板厚中心２１Ｃを含む側に、戸枠１０の上框１１との隙間を防止する上気密装置３０を設けてなるもの。【選択図】  図２
2011117148.tif 000002
【特許請求の範囲】
【請求項１】
戸枠の框に設けられるガイド部に支持される支持具を戸板の端面に取付けてなる引き戸において、
戸板の端面における該戸板の板厚中心から偏心する位置に支持具を取付け、
戸板の端面における支持具の取付位置より板厚中心を含む側に、戸枠の框との隙間を防止する気密装置を設けてなることを特徴とする引き戸。
【請求項２】
前記支持具が戸板の端面における長手方向の複数位置に設けられ、
前記気密装置が戸板の端面における長手方向に沿う概ね全域に渡って設けられる請求項１に記載の引き戸。
【発明の詳細な説明】
【技術分野】
【０００１】
本発明は引き戸に関する。
【背景技術】
【０００２】
部屋の間仕切り等に使用される引き戸として、特許文献１に記載の如く、戸枠の上框に設けられるガイドレールに支持されるガイド突起等の上支持具を戸板の上端面に取付けてなるものがある。尚、戸板の下端面には、戸枠の下框に設けられるガイドレールに載架される戸車等を設けることができる。
【先行技術文献】
【特許文献】
【０００３】
【特許文献１】特開2001-329737
【発明の概要】
【発明が解決しようとする課題】
【０００４】
特許文献１に記載の如くの引き戸において、音や風塵を遮断するため、戸板の上端面に、戸枠の上框との隙間を防止する気密装置を設けることが考えられる。
【０００５】
しかしながら、特許文献１に記載の如くの引き戸では、戸板の上端面における該戸板の板厚中心に前述の上支持具を取付けている。従って、このような戸板の上端面において、気密装置を戸板の板厚中心に位置する上支持具に干渉させないように設置するためには、戸板の板厚中心に対する一方側に気密装置の設置に必要な広目のスペースを確保する必要がある。このとき、戸板の板厚中心に対する他方側にも、上述の一方側におけると同様な広目のスペースが徒らに確保されるものになり、結果として戸板の全板厚、ひいては重量が過大なものになる。
【０００６】
本発明の課題は、引き戸において、戸板の全板厚を薄くしながら、戸板の端面に支持具を取付けるとともに、戸板の端面において支持具に干渉することのない広目のスペースに気密装置を併せ設けることにある。
【課題を解決するための手段】
【０００７】
請求項１の発明は、戸枠の框に設けられるガイド部に支持される支持具を戸板の端面に取付けてなる引き戸において、戸板の端面における該戸板の板厚中心から偏心する位置に支持具を取付け、戸板の端面における支持具の取付位置より板厚中心を含む側に、戸枠の框との隙間を防止する気密装置を設けてなるようにしたものである。
【０００８】
請求項２の発明は、請求項１の発明において更に、前記支持具が戸板の端面における長手方向の複数位置に設けられ、前記気密装置が戸板の端面における長手方向に沿う概ね全域に渡って設けられるようにしたものである。
【発明の効果】
【０００９】
（請求項１）
(a)戸板の端面における該戸板の板厚中心から偏心量ｅだけ偏心する位置に支持具を取付けた。従って、戸板の端面における支持具の取付位置より板厚中心を含む側、換言すれば戸板の支持具に対する一方側に上述の偏心量ｅ分だけ広目のスペースを確保し、この支持具に干渉することのない広目のスペースに気密装置を設けることができる。このとき、戸板の支持具に対する他方側のスペースは、上述の一方側におけるよりも上述の偏心量ｅ分だけ狭目になり、結果として戸板の全板厚、ひいては重量を過大にすることがない。よって、引き戸において、戸板の全板厚を薄くしながら、戸板の端面に支持具を取付けるとともに、戸板の端面において支持具に干渉することのない広目のスペースに気密装置を併せ設けることができる。
【００１０】
（請求項２）
(b)支持具を戸板の端面における長手方向の複数位置に設け、気密装置を戸板の端面における長手方向に沿う概ね全域に渡って設けることができる。
【図面の簡単な説明】
【００１１】
【図１】図１は引き戸により形成された間仕切りを示す正面図である。
【図２】図２は図１のII−II線に沿う断面図である。
【図３】図３は上側気密装置を示す断面図である。
【図４】図４は下側気密装置を示す断面図である。
【発明を実施するための形態】
【００１２】
図１は、相隣る部屋の間に設けた間仕切り１を示す。間仕切り１は、戸枠１０に納められた複数枚、本実施例では前後各２枚の引き戸２０からなる。
【００１３】
戸枠１０は、図１、図２に示す如く、上下の框１１、１２と、左右の縦枠１３、１３の枠組により構成される。上框１１の下面の長手方向には前後の各引き戸２０のための２条の溝状上ガイドレール１４、１４（ガイド部）が埋込み延在される。下框１２の上面の長手方向には前後の各引き戸２０のための２条の溝状下ガイドレール１５、１５が埋込み延在される。
【００１４】
引き戸２０は、図２に示す如く、戸板２１の上端面の長手方向の複数位置、本実施例では左右両側の２位置にガイド用ブロック２２を埋込み固定され、ガイド用ブロック２２に内蔵されて上向き突出されているガイド用突起２３（上支持具）を上框１１の上ガイドレール１４に滑走可能に係入される。引き戸２０は、戸板２１の下端面の長手方向の複数位置、本実施例では左右両側の２位置に戸車用ブロック２４を埋込み固定され、戸車用ブロック２４に内蔵されて下向き突出されている戸車２５を下框１２の下ガイドレール１５に滑走可能に係合して載架される。引き戸２０は、ガイド用突起２３を上ガイドレール１４に係入されながら、戸車２５を下ガイドレール１５に係合して載架されることにより、戸枠１０内に垂直に嵌め込まれ、かつ上下のガイドレール１４、１５にガイドされて滑走可能にされる。
【００１５】
尚、ガイド用突起２３はガイド用ブロック２２に対して上方へ弾発的に突出する方向に付勢され、又はガイド用ブロック２２に対する上向き突出位置を自在に調整可能にされる。戸車２５は戸車用ブロック２４に対する下向き突出位置を自在に調整可能にされる。
【００１６】
引き戸２０は、図２に示す如く、戸板２１の上端面に上気密装置３０を設ける。上気密装置３０は、図３に示す如く、戸板２１の上端面に埋込み固定される気密用ブロック３１と、気密用ブロック３１の上面から上下動可能に該ブロック３１に内蔵されるシール部３２と、気密用ブロック３１の左右の側面から外方に弾発的に突出している待機位置から押し込まれたときにシール部３２を気密用ブロック３１の上面から上方に突出させるプッシャー３３とを有する。シール部３２は、引き戸２０における戸板２１の上端面における長手方向に沿う概ね全長に渡って、横断面三角形状のゴム等からなる長尺シール材３２Ａを延在している。引き戸２０に設けた上気密装置３０のプッシャー３３が戸枠１０の左右の縦枠１３、１３に衝接し、又は同一ガイドレール１４上の他の引き戸２０に衝接して押し込まれたとき、シール部３２のシール材３２Ａを気密用ブロック３１から戸枠１０の上框１１の側に突出させ、引き戸２０と上框１１との隙間を防止する。
【００１７】
ここで、引き戸２０にあっては、戸板２１の全板厚を薄くしながら、戸板２１の上端面にガイド用突起２３を取付けるとともに、戸板２１の上端面においてガイド用突起２３に干渉することのない広目のスペースに上述の上気密装置３０を併せ設けるため、以下の構成を具備する。即ち、引き戸２０は、戸板２１の上端面における該戸板２１の板厚中心２１Ｃから偏心量ｅだけ偏心する位置にガイド用突起２３を取付け（図２）、戸板２１の上端面におけるガイド用突起２３の取付位置より板厚中心２１Ｃを含む一方側に、上気密装置３０を設ける。
【００１８】
引き戸２０は、図２に示す如く、戸板２１の下端面に下気密装置４０を設ける。下気密装置４０は、図４に示す如く、戸板２１の下端面に埋込み固定される気密用ブロック４１と、気密用ブロック４１の下面から上下動可能に該気密用ブロック４１に内蔵されるシール部４２とを有する。シール部４２は、引き戸２０における戸板２１の下端面における長手方向に沿う概ね全長に渡って、Ｔ字状本体４２Ａの下部に横断面円形状のゴム等からなる長尺シール材４２Ｂを延在している。シール部４２は、Ｔ字状本体４２Ａの頭部を気密用ブロック４１の内部に納め、Ｔ字状本体４２Ａの首部を気密用ブロック４１の下面スリットに通し、長尺シール材４２Ｂを気密用ブロック４１の下方に突出させる。引き戸２０に設けた下気密装置４０のシール部４２は自重で気密用ブロック４１の下面から戸枠１０の下框１２の側にシール材４２Ｂを垂下させ、引き戸２０と下框１２との隙間を防止する。
【００１９】
尚、引き戸２０は、戸板２１の下端面における板厚中心２１Ｃ上に戸車２５を取付け、戸板２１の下端面における戸車２５の両側に下気密装置４０、４０を設けている。
【００２０】
本実施例によれば以下の作用効果を奏する。
(a)戸板２１の上端面における該戸板２１の板厚中心２１Ｃから偏心量ｅだけ偏心する位置にガイド用突起２３を取付けた。従って、戸板２１の上端面におけるガイド用突起２３の取付位置より板厚中心２１Ｃを含む側、換言すれば戸板２１のガイド用突起２３に対する一方側に上述の偏心量ｅ分だけ広目のスペースを確保し、このガイド用突起２３に干渉することのない広目のスペースに上気密装置３０を設けることができる。このとき、戸板２１のガイド用突起２３に対する他方側のスペースは、上述の一方側におけるよりも上述の偏心量ｅ分だけ狭目になり、結果として戸板２１の全板厚、ひいては重量を過大にすることがない。よって、引き戸２０において、戸板２１の全板厚を薄くしながら、戸板２１の上端面にガイド用突起２３を取付けるとともに、戸板２１の上端面においてガイド用突起２３に干渉することのない広目のスペースに上気密装置３０を併せ設けることができる。
【００２１】
(b)ガイド用突起２３を戸板２１の上端面における長手方向の複数位置に設け、上気密装置３０を戸板２１の上端面における長手方向に沿う概ね全域に渡って設けることができる。
【００２２】
以上、本発明の実施例を図面により詳述したが、本発明の具体的な構成はこの実施例に限られるものではなく、本発明の要旨を逸脱しない範囲の設計の変更等があっても本発明に含まれる。例えば、戸板の上端面に取付けられる上支持具は、戸枠の上框に設けられる上ガイドレール（ガイド部）に滑走可能に吊下げ支持される吊車であっても良い。
【００２３】
尚、本発明は、戸枠の下框に設けられるガイド部に支持される下支持具を戸板の下端面に取付けてなる引き戸にも適用できる。即ち、戸板の下端面における該戸板の板厚中心から偏心する位置に下支持具を取付け、戸板の下端面における下支持具の取付位置より板厚中心を含む側に、戸枠の下框との隙間を防止する気密装置を設けることができる。また、前記下支持具が戸板の下端面における長手方向の複数位置に設けられ、前記気密装置が戸板の下端面における長手方向に沿う概ね全域に渡って設けることができる。
【産業上の利用可能性】
【００２４】
本発明によれば、戸枠の框に設けられるガイド部に支持される支持具を戸板の端面に取付けてなる引き戸において、戸板の端面における該戸板の板厚中心から偏心する位置に支持具を取付け、戸板の端面における支持具の取付位置より板厚中心を含む側に、戸枠の框との隙間を防止する気密装置を設けてなる。従って、引き戸において、戸板の全板厚を薄くしながら、戸板の端面に支持具を取付けるとともに、戸板の端面において支持具に干渉することのない広目のスペースに気密装置を併せ設けることができる。
【符号の説明】
【００２５】
１０  戸枠
１１  上框（框）
１４  上ガイドレール（ガイド部）
２０  引き戸
２１  戸板
２１Ｃ  板厚中心
２３  ガイド用突起（支持具）
３０  上気密装置（気密装置）
【図１】
2011117148.tif 000003
【図２】
2011117148.tif 000004
【図３】
2011117148.tif 000005
【図４】
2011117148.tif 000006